(57)【要約】  多数の軸方向に積み重ねた薄板シート１７から構成されるリング形状の薄板パッケージ１６を備え、この薄板パッケージ１６は、内側又は外側の円筒形の固定区画１６ｃを支持部品２２の円筒形の収容区画２２ａに固定されており、この支持部品２２は、二つのストッパ２２ｂ，２２ｃを有し、それらの間で、薄板パッケージ１６を軸方向に力を加えた形で付勢している、電気機械１０用の構造ユニット１２を記載している。これらのストッパの中の少なくとも一つ２２ｃがリング形状のサポート部品２４から成り、このサポート部品が、収容区画２２ａに配置されて、薄板パッケージ１６を支えるとともに、少なくとも一つのかしめ領域２６を用いて支持部品２２に固定されていることを提案する。
2017511105.tif 000002
【特許請求の範囲】
【請求項１】
多数の軸方向に積み重ねた薄板シート（１７）から構成されるリング形状の薄板パッケージ（１６）を備え、
この薄板パッケージ（１６）は、内側又は外側の円筒形の固定区画（１６ｃ）を支持部品（２２）の円筒形の収容区画（２２ａ）に固定されており、
この支持部品（２２）は、二つのストッパ（２２ｂ，２２ｃ）を有し、それらの間で、薄板パッケージ（１６）が軸方向に力を加えられた形で付勢されている、
電気機械（１０）用の構造ユニット（１２）において、
これらのストッパの中の少なくとも一つ（２２ｃ）がリング形状のサポート部品（２４）から構成され、このサポート部品が、収容区画（２２ａ）に配置されて、薄板パッケージ（１６）を支えるとともに、少なくとも一つのかしめ領域（２６）を用いて支持部品（２２）に固定されていることを特徴とする構造ユニット。
【請求項２】
該かしめ領域（２６）が支持部品（２２）又はサポート部品（２４）に設けられていることを特徴とする請求項１に記載の構造ユニット。
【請求項３】
該薄板パッケージ（１６）は、そのヨーク領域（１６ａ）を支持部品（２２）の収容区画（２２ａ）に固定しており、このヨーク領域（１６ａ）が、該サポート部品（２４）によって、少なくとも部分的に半径方向に対して覆われていることを特徴とする請求項１又は２に記載の構造ユニット。
【請求項４】
該薄板パッケージ（１６）の円周方向に、複数のかしめ領域（２６）が設けられていることを特徴とする請求項１から３までのいずれか一つに記載の構造ユニット。
【請求項５】
該ストッパの中の一つが、支持部品の収容領域におけるリング状ショルダ部により構成されることを特徴とする請求項１から４までのいずれか一つに記載の構造ユニット。
【請求項６】
該薄板パッケージ（１６）が、プレス連結部を用いて支持部品（２２）に固定されることを特徴とする請求項１から５までのいずれか一つに記載の構造ユニット。
【請求項７】
該支持部品（２２）が、薄板パッケージ（１６）と比べて異なる熱膨張係数を有することを特徴とする請求項１から６までのいずれか一つに記載の構造ユニット。
【請求項８】
該支持部品（２２）がアルミニウム材料から製造されることを特徴とする請求項１から７までのいずれか一つに記載の構造ユニット。
【請求項９】
該薄板パッケージ（１６）は、その固定区画（１６ｃ）に配置されたスリーブ部品（３０）を有し、このスリーブ部品を介して、支持部品の収容区画に配置されていることを特徴とする請求項１から８までのいずれか一つに記載の構造ユニット。
【請求項１０】
請求項１から９までのいずれか一つ記載の電気機械（１０）の構造ユニット（１２）を製造する方法において、
ａ）多数の薄板シート（１７）から成るリング形状のロータ薄板パッケージ又はステータ薄板パッケージ（１６）を準備する工程であって、任意選択として、この薄板パッケージが複数の円周セグメントから組み立てられる工程と、
ｂ）この薄板パッケージ（１６）に対して、組立工具を用いて軸方向に力を加える付勢を与える工程と、
ｃ）この力を加える付勢を維持しつつ、この薄板パッケージ（１６）が支持部品（２２）の第一の軸方向ストッパ（２２ｂ）に当接するまで、この薄板パッケージ（１６）を支持部品（２２）と軸方向に接合する工程であって、任意選択として、これらの接合相手（１６，２２）の間にプレス連結部を形成する工程と、
ｄ）この薄板パッケージ（１６）の第一のストッパ（２２ｂ）と逆の軸方向側にサポート部品（２４）を嵌め込む工程と、
ｅ）この支持部品（２２）又はサポート部品（２４）をかしめることによる、少なくとも一つのかしめ領域（２６）によって、第二の軸方向ストッパ（２２ｃ）を作り出す工程と、
ｆ）組立工具を取り外す工程と、
を有することを特徴とする方法。
【請求項１１】
ステータ（１２）と、それに対して軸（Ａ）の周りを回転可能に軸支されたロータ（１４）とを有する電気機械（１０）において、
このロータ（１４）又はステータ（１２）が請求項１から９までのいずれか一つ記載の構造ユニットから構成されることを特徴とする電気機械。
【発明の詳細な説明】
【技術分野】
【０００１】
本発明は、請求項１の上位概念に基づく積層薄板パッケージを備えた電気機械用構造ユニット、その構造ユニットの製造方法及びその構造ユニットを備えた電気機械に関する。
【背景技術】
【０００２】
電気機械の電磁気コンポーネントは、多くの場合磁化可能な電気薄板から成る薄板パッケージを備えている。そのような薄板パッケージは、渦電流損失を防止するために、例えば、上下を焼付ワニスと連結された、或いは互いに係合する打抜きパッケージ用タペットにより連結された多数の軸方向に積層した薄板シートから構成される。その場合、薄板パッケージは、ロータ薄板パッケージ又はステータ薄板パッケージとして動作することができ、そのために、例えば、プレス嵌め部を用いて、円筒形のロータ支持体又はステータ支持体に回転ずれしないように配置されている。電気機械の動作中に、嵌め合わせ状況が、温度変化の影響を受けて変わる可能性が有り、特に、薄板パッケージの正面側領域が軸方向に浮き上がって、シートが散発的に薄板パッケージから突き出る結果となる。それによって、そのような電気機械の効率が不利な影響を受ける。
【０００３】
特許文献１により、この種の内側ロータ構造形式の電気機械用構造ユニットが周知であり、そのステータ薄板パッケージは、機械の筐体の内周面に固定されている。その場合、薄板パッケージの軸方向ストッパは、筐体の直径方向の段差により形成される一方、薄板パッケージの他方の軸方向側は、筐体に取り外し可能に配置された支持プレートのリング束により形成されている。そのようにして、薄板パッケージの薄板シートが持続的に軸方向に付勢されて、浮き上がりを防止している。
【０００４】
特許文献２により周知の電気機械用構造ユニットでは、薄板パッケージの同じ軸方向固定方式に基づいており、ストッパが、薄板パッケージを軸方向に対して別の筐体ストッパの方向に押し付ける、機械の筐体にネジ止めされたリング部品により形成されている。
【先行技術文献】
【特許文献】
【０００５】
【特許文献１】ドイツ特許公開第１０２５８６０６号明細書
【特許文献２】特開２００６−２５４６５号公報
【発明の概要】
【発明が解決しようとする課題】
【０００６】
前述した背景技術に鑑みて、本発明の課題は、薄板パッケージをその支持部品に対して持続的に軸方向に固定して、個々のシートの浮き上がりを確実に阻止する冒頭で述べた形式の電気機械用構造ユニットを提供することである。
【課題を解決するための手段】
【０００７】
本課題は、請求項１による電気機械用構造ユニット、請求項１０によるその構造ユニットの製造方法及び請求項１１による電気機械によって解決される。
【０００８】
本発明の有利な実施形態及び改善構成は、従属請求項から明らかとなる。
【０００９】
本発明の第一の観点では、薄板パッケージを固定するための軸方向ストッパの一つがリング形状のサポート部品から成り、このサポート部品が、薄板パッケージと共に支持部品の収容区画に配置されており、そのサポート部品に対して、薄板パッケージを支持する電気機械用構造ユニットを提案する。この場合、サポート部品は、少なくとも一つのかしめ領域を用いて支持部品に固定される。
【００１０】
この薄板パッケージは、ロータ薄板パッケージ及び／又はステータ薄板パッケージとして実現することができ、それらのシートは、有利には、打抜きパッケージング又は焼付ワニスの作用により互いに連結されている。この薄板パッケージは、円周部を閉鎖された、ヨーク領域と歯形の巻線領域を有する個別のリング状薄板シートから構成することができる。この巻線領域は、歯形部と、それらの間に配置された、ステータ巻線を挿入可能な溝とを有する。それに代わって、薄板パッケージは、円周方向に対してセグメント化された形で実現することもでき、そのようなセグメントを組み立てることによって、リング形状の薄板パッケージが形成される。この薄板パッケージは、巻線無しに実現することもでき、場合によっては、永久磁石用収容領域を備えることもできる。
【００１１】
本発明は、具体的な構造形式に依存せず、積層薄板パッケージを備えた全ての電気機械における各機能方式に対して実現可能である。このサポート部品は、有利には、サポートリングとして、或いは円形のサポート円板として構成され、有利には、鋼鉄から製造され、その強度は、シートの強度よりも強く、有利には、シートの強度の２〜５倍である。このサポート部品は、有利には、円周部を閉鎖することができるが、それに代わって、セグメント化する、即ち、複数の部分から実現することもできる。
【００１２】
この薄板パッケージは、その円筒形の固定区画を支持部品の同じく円筒形の収容区画に回転ずれしない形で配置されており、そのために、有利には、これらの部分のプレス嵌め部が実現されている。これは、互いに接合する前に二つの連結相手を異なる温度に設定することによって、プレス接合による長手方向プレス連結部、焼き嵌めによる横方向プレス連結部、或いはこれらのプレス連結部の混合形式により行なうことができる。これらの連結相手の相互接合時に、薄板パッケージが、第一のストッパに当接するまで軸方向に対して支持部品に押し付けられる。
【００１３】
このプレス連結部、特に、横方向プレス連結部は、相互接合後における調整された温度均等化によって作り出される。この場合、サポート部品は、薄板パッケージを軸方向に係止する役割を果たし、ユニットの組立中に同じく支持部品の収容領域により収容されて、有利には、直接的に、しかし、少なくとも間接的に薄板パッケージの自由な正面側において、それに当接する。この配置構成を固定するために、一つのかしめ領域又はサポート部品の円周部に分散された複数のかしめ領域が作り出され、そこでは、支持部品及び／又はサポート部品の基本材料が可塑的に押し退けられ、それによって、支持部品及びサポート部品の或る程度の半径方向の重なり合いが実現される。このサポートリングは、かしめる際に、さもなければ直接薄板パッケージに作用したであろう半径方向の力を吸収し、そのため、そこに有る薄板パッケージの終端シートの移動及びずれを防止する。このようにして、薄板パッケージとその支持部品は、持続的かつ安全に動作するように互いに固定されると同時に、薄板パッケージの浮き上がりを防止している。
【００１４】
持続的に高い軸方向の付勢を実現するために、薄板パッケージは、組立補助手段を用いて、事前に軸方向に付勢された形で支持部品に取り付けられ、この組立補助手段は、かしめ領域を作り出した後に漸く取り外される。
【００１５】
一つの実施構成では、これらのかしめ領域は、支持部品に直に実現することができ、そのために、この支持部品は、有利には、比較的容易に可塑的に変形可能な材料、例えば、アルミニウム材料から実現することができる。この支持部品は、例えば、アルミニウム製のステータ支持部又はロータ支持部として存在することができる。特に、内側ロータ式電気機械では、ステータ支持部は、同時に機械の筐体として実現することができる。そのようにして、ステータ薄板パッケージは、例えば、アルミニウム製トランシミッション筐体に固定することができる。この場合、プレス連結部の実現に関して、支持部品は、薄板パッケージと比べて異なる熱膨張係数を有し、特に、例えば、２倍の異なる熱膨張係数を有し、そのことは、温度に応じて連結力を変化させることとなる。この場合、サポート部品は、鋼鉄材料から製造することができる。
【００１６】
支持部品に一つのかしめ領域又は複数のかしめ領域を設ける場合、支持部品は、それに関して規定された位置に、かしめ工具を当てるのに有利な輪郭と、塑性変形を容易にするために基本部分と比べて弱体化された材料区画とを有するように形成することができる。そのような区画は、例えば、軸方向に薄板パッケージを超えて突き出た、壁厚が比較的薄いカラー部により形成することができ、このカラー部は、かしめることによって、少なくとも区画として半径方向に対して薄板パッケージの方向に持続的に成形することができる。有利には、それに対応して形成された、高い面圧を実現するプレス工具又はかしめ工具を少なくとも成形プロセスの始めに支持体又はサポート部品と直線形状又は点形状で接触させることができる。
【００１７】
しかし、それは、例えば、鋼鉄材料から製造されたステータ支持体又はロータ支持体が存在する場合でも、サポート部品にかしめ領域を作り出すのに有利であるとすることができる。この場合、サポート部品は、有利には、比較的容易に可塑的に変形可能な材料、例えば、アルミニウム材料から実現することができる。
【００１８】
サポート部品にも、かしめるために有利な輪郭を形成することができ、かしめる際に、成形可能な区画は、材料の押し退けによって、支持部品の収納輪郭内に可塑的に成形されて、そこで軸方向に対して支える。
【００１９】
有利には、ヨーク領域を有する薄板パッケージが支持部品の収容区画に固定され、このヨーク領域は、サポート部品によって、少なくとも部分的に半径方向に対して覆われる。ステータ支持体にステータ薄板パッケージを取り付ける場合、ステータ巻線が事前に薄板パッケージの歯形領域上に配置され、その結果、かしめ工具又はプレス工具を差し込むために、半径方向に対して狭い差込空間だけが利用可能となる。
【００２０】
このかしめ領域は、支持部品の円周方向において、円周全体又は一つの部分領域に渡る単一のかしめ領域として、並びに一回のプロセス工程又は複数回のプロセス工程により実現することができる。一つの実施構成では、薄板パッケージの円周方向に、複数のかしめ領域を設けることができる。円周領域を複数のかしめ領域に分けることは、一回のプロセス工程で成形すべき面積を低減するとともに、それにより、かしめ工具により加える力が一定の場合に、一つのかしめ領域の面圧を上昇させる。この面圧は、設けるべきかしめ領域の全数を順番に少なくとも二回又はそれを上回る複数回のかしめプロセス又はプロセス工程に分けて、それらの間において、薄板パッケージをその支持体と共にかしめ工具に対して相対的に円周方向に所定の大きさの角度だけ捩じることによって、一層上昇させることもできる。この場合、これらのかしめ領域は、グループ毎に作り出される。
【００２１】
有利には、薄板パッケージに対する二つの軸方向ストッパの中の一つは、特に、支持部品の収容領域におけるリング状ショルダ部によって、支持部品と一体的に形成することができる。それに代わって、一つのストッパは、支持部品と固く連結された取付部品によって提供することもできる。
【００２２】
任意選択として、薄板パッケージは、その固定区画に配置された、特に、金属製のスリーブ部品を備え、このスリーブ部品と共に、支持部品の収容区画に配置することができる。
【００２３】
電気機械用構造ユニットを製造する方法は、
ａ）多数の薄板シートから成るリング形状の薄板パッケージを準備する工程であって、任意選択として、この薄板パッケージを複数の円周セグメントから組み立てる工程と、
ｂ）この薄板パッケージに対して、組立工具を用いて軸方向に力を加える付勢を与える工程と、
ｃ）この力を加える付勢を維持しつつ、この薄板パッケージが支持部品の第一の軸方向ストッパに当接するまで、この薄板パッケージを支持部品と軸方向に接合する工程であって、任意選択として、これらの接合相手の間にプレス連結部を形成する工程と、
ｄ）この薄板パッケージの第一のストッパと逆の軸方向側にサポート部品を嵌め込む工程と、
ｅ）この支持部品又はサポート部品をかしめることによる、少なくとも一つのかしめ領域によって、第二の軸方向ストッパを作り出す工程と、
ｆ）組立工具を取り外す工程と、
を有する。
【００２４】
更に、ステータと、それに対して軸Ａの周りに回転可能に軸支されたロータとを有する電気機械を提案し、少なくともロータ又はステータは、前述した実施形態による構造ユニットから構成される。
【００２５】
以下において、図面に図示された実施構成に基づき本発明を例示して説明する。
【図面の簡単な説明】
【００２６】
【図１】サポート部品と共に、支持部品に設けたかしめ領域（半径方向の保持突起部）を用いて、これに固定された薄板パッケージを備えた電気機械のステータ構造ユニットの部分図
【図２】直線形状又は点形状の係合輪郭を有するかしめ工具を用いた、図１のステータ構造ユニットの部分図
【図３】かしめ領域が軸方向に対して薄板パッケージの上に延びるカラー部に形成された、図１のステータ構造ユニットの部分図
【図４】サポート部品と共に、サポート部品に設けたかしめ領域を用いて支持部品に固定された薄板パッケージを備えた電気機械のステータ構造ユニットの部分図
【図５】薄板パッケージと支持部品の対向側の円周接触領域にスリーブ形状の中間部品を配置した図１のステータ構造ユニットの部分図
【図６】薄板パッケージをステータ支持体に固定するために複数のかしめ領域を円周部に設けたステータ構造ユニットの正面側の部分図
【発明を実施するための形態】
【００２７】
同じ対象物、機能ユニット又は比肩可能なコンポーネントは、図面において包括的に同じ符号により表示されている。更に、一つの実施例又は図面に複数回出現するが、一つ又は複数の特徴に関して共通に記述されるコンポーネント及び物体に関しては、統一した符号が使用されている。同じ符号又は統一した符号を用いて記述されるコンポーネント又は物体は、単一、複数又は全ての特徴に関して、例えば、そのサイズ設定に関して、記述から決して別のことが明示的又は暗示的に得られない限り、同じ形で実現することができるが、場合によっては、異なる形で実現することもできる。
【００２８】
図面は、それぞれステータ１２とそれに対して軸Ａの周りに回転可能に軸支されたロータ１４とを有する電気機械１０を図示しており、以下において、例として、ステータ１２又はステータ構造ユニット１２を詳しく説明する。この構造ユニット１２は、（しかし、ここに図示された図面では分からない）円周方向において接合された複数のステータセグメントから成るリング形状の薄板パッケージ１６を有する。各ステータセグメントは、軸方向に積み重ねた多数の薄板シート１７から構成される。ステータセグメントの各々は、ヨーク領域１６ａと、それから軸方向に突き出た、巻線本体部１８ａ，ｂにより正面側を支持されたステータコイル２０を装着する歯形部１６ｂとから構成される。このようにして、これらのセグメントの個々のヨーク領域は、薄板パッケージ１６のリング形状の閉じたヨーク１６ａを形成している。
【００２９】
一つのリングに互いに接合された薄板パッケージ１６は、プレス連結部を用いて、外側の円筒形の固定区画１６ｃ、特に、外側円筒面１６ｃを、ここでは、ステータ筐体２２として構成された支持部品２２の半径方向に対して内側の円筒形の収容区画２２ａ、特に、内側円筒面２２ａに固定されている。この筐体２２がアルミニウム材料から構成される一方、薄板パッケージ１６は、電気薄板、即ち、鉄材料から構成される。そのようにして、支持部品２２は、薄板パッケージ１６と比べて異なる、ここでは、より大きな熱膨張係数を有する。
【００３０】
更に、支持部品２２は、第一のストッパ２２ｂと第二のストッパ２２ｃを有し、それらの間において、薄板パッケージ１６が、軸方向に力を加える付勢を与えられた形で固定されている。この場合、薄板パッケージ１６用の第一のストッパ２２ｂは、支持部品２２と一体的に、ここでは、支持部品２２の収容領域２２ａにおけるリング状ショルダ部２２ｂにより形成される。
【００３１】
第二のストッパ２２ｃは、収容区画２２ａに配置された、薄板パッケージ１６を支えるリング形状のサポート部品２４から構成され、このサポート部品は、少なくとも一つのかしめ領域２６を用いて支持部品２２に固定されている。即ち、薄板パッケージ１６は、そのヨーク領域１６ａを支持部品２２の収容区画２２ａに固定されており、このヨーク領域１６ａは、サポート部品２４によって、少なくとも部分的に半径方向に対して覆われている。
【００３２】
図１により説明した実施例では、軸方向に作用する、ここでは、スタンパとして模式的に図示されたプレス工具２８によって、収容領域２２ａにおいて軸方向に薄板パッケージ１６を超えて突き出た区画２２ｄを塑性変形させることによって、かしめ領域２６が支持部品２２自体に設けられている。この場合、少なくとも一つの支持部品２２の半径方向のカバー区画２２ｅ又は半径方向の保持突起部２２ｅが作り出される。ここでは、軸方向に対してサポート部品２４に作用するとともに、ストッパ２２ｃ，２２ｄの間において軸方向に力を加える形で薄板パッケージ１６を付勢するそのような複数のカバー区画２２ｅが作り出される。
【００３３】
図２は、図１のステータ構造ユニット１２を図示しており、面圧を上昇させるために、直線形状又は点形状の係合輪郭を有するかしめ工具２８を変形プロセスの始めに使用している。
【００３４】
図３では、図１の別のステータ構造ユニット１２が図示されているが、かしめ領域２６が、軸方向に対して薄板パッケージ１６の上に延びる、支持部品２２の比較的薄い壁厚のカラー部２２ｆに形成されている。この場合、かしめ領域２６を形成するために、側面が作用方向に対して傾斜した刃形状又は楔形状のプレス工具２８を用いている。
【００３５】
図４に図示されたステータ構造ユニット１２では、これまでの実施形態と異なり、かしめ領域２６がサポート部品２４に直に形成されている。このサポート部品２４は、リング形状に構成され、軸方向に、薄板パッケージ１６に当接する当接区画２４ａと、支持部品２２の係合輪郭２２ｇで軸方向に支える変形可能な当接区画２４ｂとを有する。この当接区画２４ｂは、支持部品２２にサポート部品２４を嵌め込んだ後、この図面には図示されていない、軸方向に差し込まれる楔形状のプレス工具によって、係合輪郭２２ｇにおいて塑性変形される。そのために、図４は、変形されていない状態と嵌め込まれて変形された状態のサポート部品２４を図示している。
【００３６】
図５は、図１のステータ構造ユニット１２を図示しており、薄板パッケージ１６と支持部品２２の対向側の円周接触領域には、スリーブ形状の中間部品３０又はスリーブ部品３０が配置されている。この中間部品３０は、例えば、残置される組立補助手段として使用することができる。
【００３７】
図６には、図１のステータ構造ユニット１２の正面側の図面が図示されており、薄板パッケージ１６は、円周部に設けた複数のかしめ領域２６を用いてステータ支持体２２に固定されている。
【００３８】
図１〜６を用いて説明したステータ構造ユニット１２は、以下の工程を有する製造方法によって提供することができる。
ａ）多数の薄板シート１７から成るリング形状のロータ又はステータ薄板パッケージを準備する工程であって、任意選択として、この薄板パッケージを複数の円周セグメントから組み立てる工程、
ｂ）この薄板パッケージ１６に対して、図面には図示されていない組立工具を用いて軸方向に力を加える付勢を与える工程、
ｃ）この力を加える付勢を維持しつつ、この薄板パッケージ１６が支持部品２２の第一の軸方向ストッパ２２ｂに当接するまで、この薄板パッケージ１６を支持部品２２と軸方向に接合する工程であって、任意選択として、これらの接合相手１６，２２の間にプレス連結部を形成する工程、
ｄ）この薄板パッケージ１６の第一のストッパ２２ｂと逆の軸方向側にサポート部品２４を嵌め込む工程、
ｅ）この支持部品２２又はサポート部品２４をかしめることによる、少なくとも一つのかしめ領域２６によって、第二の軸方向ストッパ２２ｃを作り出す工程、
ｆ）組立工具を取り外す工程。
【００３９】
組立工具として、それに対応する締付工具を使用することができ、その軸方向の当接領域が、薄板パッケージの正面側に作用し、それによって、薄板パッケージが軸方向に互いに押し付けられて、互いに保持される。薄板パッケージ１６の固定区画１６ｃ、即ち、ここでは、外側円筒面が、支持体２２への取り付けのために開放されたままであり、覆われていないか、さもなければ包まれていないことだけに留意されたい。
【符号の説明】
【００４０】
１０    電気機械
１２    ステータ、ステータ構造ユニット
１４    ロータ
１６    薄板パッケージ
１６ａ  ヨーク
１６ｂ  歯形部
１６ｃ  円筒形の固定区画
１７    薄板シート
１８ａ，ｂ    巻線本体部
２０    ステータコイル
２２    支持部品
２２ａ  円筒形の収容区画
２２ｂ  第一のストッパ
２２ｃ  第二のストッパ
２２ｄ  軸方向に突き出た区画
２２ｅ  カバー区画
２２ｆ  カラー部
２２ｇ  係合輪郭
２４    サポート部品
２４ａ  当接区画
２４ｂ  当接区画
２６    かしめ領域
２８    プレス工具
３０    スリーブ部品
Ａ    軸
【図１】
2017511105.tif 000003
【図２】
2017511105.tif 000004
【図３】
2017511105.tif 000005
【図４】
2017511105.tif 000006
【図５】
2017511105.tif 000007
【図６】
2017511105.tif 000008
【国際調査報告】
2017511105.tif 000009
2017511105.tif 000010
2017511105.tif 000011
2017511105.tif 000012